【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
ＲＧＢ色空間にて表現される第一画像データをプリンタにて使用される色の有彩色および墨色にて表現される第二画像データに変換する画像処理装置であって、
上記第一画像データを各画素毎に入力する画像データ入力手段と、
上記入力した第一画像データの補色データに基づいて同第一画像データが有彩色に近いか無彩色に近いかを示すパラメータを算出するパラメータ算出手段と、
上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得手段と、
上記取得した墨色発生率および有彩色除去率に基づいて上記第一画像データを上記第二画像データに変換する画像データ変換手段とを具備することを特徴とする画像処理装置。
【請求項２】
上記パラメータ算出手段は、上記入力した第一画像データの補色データを算出するとともに、同第一画像データの各補色データの最小補色データを３倍にした数値を同各補色データの総和で除算することによって上記パラメータを算出することを特徴とする上記請求項１に記載の画像処理装置。
【請求項３】
上記取得手段は、上記パラメータの変化に非線形に上記墨色発生率および有彩色除去率が変移する非線形関数に基づいて、上記算出されたパラメータに対応する墨色発生率および有彩色除去率を取得することを特徴とする上記請求項１または請求項２のいずれかに画像処理装置。
【請求項４】
上記取得手段は、上記パラメータに上記墨色発生率および有彩色除去率を対応させて予め格納したテーブルデータから上記算出したパラメータに対応する墨色発生率および有彩色除去率を取得することを特徴とする上記請求項１または請求項２のいずれかに記載の画像処理装置。
【請求項５】
上記画像データ変換手段は、上記第一画像データの各補色データから最小補色データに上記有彩色除去率を乗算した数値を減算して上記第二画像データの有彩色に変換するとともに、上記最小補色データに上記墨色発生率を乗算することによって上記第二画像データの墨色に変換することを特徴とする上記請求項１〜請求項４のいずれかに記載の画像処理装置。
【請求項６】
ＲＧＢ色空間にて表現される第一画像データをプリンタにて使用される色の有彩色および墨色にて表現される第二画像データに変換する画像処理方法であって、
上記第一画像データを各画素毎に入力する画像データ入力工程と、
上記入力した第一画像データの補色データに基づいて同第一画像データが有彩色に近いか無彩色に近いかを示すパラメータを算出するパラメータ算出工程と、  上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得工程と、
上記取得した墨色発生率および有彩色除去率に基づいて上記第一画像データを上記第二画像データに変換する画像データ変換工程とを具備することを特徴とする画像処理方法。
【請求項７】
ＲＧＢ色空間にて表現される第一画像データをプリンタにて使用される色の有彩色および墨色にて表現される第二画像データに変換する機能をコンピュータに実行させる画像処理プログラムを記録した媒体であって、  上記第一画像データを各画素毎に入力する画像データ入力機能と、
上記入力した第一画像データの補色データに基づいて同第一画像データが有彩色に近いか無彩色に近いかを示すパラメータを算出するパラメータ算出機能と、  上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得機能と、
上記取得した墨色発生率および有彩色除去率に基づいて上記第一画像データを上記第二画像データに変換する画像データ変換機能とをコンピュータに実行させることを特徴とする画像処理プログラムを記録した媒体。
【手続補正２】
【補正対象書類名】明細書
【補正対象項目名】０００５
【補正方法】変更
【補正の内容】
【０００５】
【課題を解決するための手段】
上記目的を達成するため、請求項１にかかる発明は、ＲＧＢ色空間にて表現される第一画像データをプリンタにて使用される色の有彩色および墨色にて表現される第二画像データに変換する画像処理装置であって、上記第一画像データを各画素毎に入力する画像データ入力手段と、上記入力した第一画像データの補色データに基づいて同第一画像データが有彩色に近いか無彩色に近いかを示すパラメータを算出するパラメータ算出手段と、上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得手段と、上記取得した墨色発生率および有彩色除去率に基づいて上記第一画像データを上記第二画像データに変換する画像データ変換手段とを具備する構成としてある。
【手続補正３】
【補正対象書類名】明細書
【補正対象項目名】０００６
【補正方法】変更
【補正の内容】
【０００６】
上記のように構成した請求項１にかかる発明においては、ＲＧＢ色空間にて表現される第一画像データをプリンタにて使用される色の有彩色および墨色にて表現される第二画像データに変換する画像処理装置を提供する。このとき、画像データ入力手段にて第一画像データを各画素毎に入力する。パラメータ算出手段では、この入力した各画素の第一画像データの補色データを定義しつつ、当該補色データに基づいて第一画像データが有彩色に近いか無彩色に近いかを示すパラメータを算出する。ここで、取得手段にて第一画像データから第二画像データへの変換に際して、算出したパラメータに基づいて、第一画像データが無彩色から離れるに従って墨色の発生量および有彩色の除去量を減少させるとともに、無彩色に近づくに従って同発生量および除去量を増加させつつ無彩色の場合に墨色単色にて第二画像データを表現可能な墨色発生率および有彩色除去率を取得する。そして、画像データ変換手段では、取得した墨色発生率および有彩色除去率に基づいて、第一画像データを第二画像データに変換する。
【手続補正４】
【補正対象書類名】明細書
【補正対象項目名】００１１
【補正方法】変更
【補正の内容】
【００１１】
また、ディスプレイ表示のＲＧＢ色域をプリンタのＲＧＢ色域に圧縮して表現される第一画像データを同プリンタにて使用される色の有彩色および墨色にて表現される第二画像データに変換する手法は必ずしも実体のある装置に限られる必要はなく、その方法としても機能することは容易に理解できる。
このため、請求項６にかかる発明は、ＲＧＢ色空間にて表現される第一画像データをプリンタにて使用される色の有彩色および墨色にて表現される第二画像データに変換する画像処理方法であって、上記第一画像データを各画素毎に入力する画像データ入力工程と、上記入力した第一画像データの補色データに基づいて同第一画像データが有彩色に近いか無彩色に近いかを示すパラメータを算出するパラメータ算出工程と、上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得工程と、上記取得した墨色発生率および有彩色除去率に基づいて上記第一画像データを上記第二画像データに変換する画像データ変換工程とを具備する構成としてある。
すなわち、必ずしも実体のある装置に限らず、その方法としても有効であることに相違はない。
【手続補正５】
【補正対象書類名】明細書
【補正対象項目名】００１３
【補正方法】変更
【補正の内容】
【００１３】
その一例として、請求項７にかかる発明は、ＲＧＢ色空間にて表現される第一画像データをプリンタにて使用される色の有彩色および墨色にて表現される第二画像データに変換する機能をコンピュータに実行させる画像処理プログラムを記録した媒体であって、上記第一画像データを各画素毎に入力する画像データ入力機能と、上記入力した第一画像データの補色データに基づいて同第一画像データが有彩色に近いか無彩色に近いかを示すパラメータを算出するパラメータ算出機能と、上記変換に際し、上記パラメータに基づいて、上記第一画像データが無彩色から離れるに従って上記墨色の発生量および有彩色の除去量を減少させるとともに、無彩色に近づくに従って同発生量および除去量を増加させつつ無彩色の場合に墨色単色にて上記第二画像データを表現可能な墨色発生率および有彩色除去率を取得する取得機能と、上記取得した墨色発生率および有彩色除去率に基づいて上記第一画像データを上記第二画像データに変換する画像データ変換機能とをコンピュータに実行させる構成としてある。